(57)【要約】【課題】縦軸まわりに回転するシリンダ５の外周面にシリンダ針１０が上下動自在に保持された丸編機２で備えられるベア糸給糸装置であって、ベア糸ｓの糸切れやハネ、編組織不良などを完全に解消することができ、また特殊針の開発などは不要であり、更にはベア糸ｓの給糸に伴う編機の運転制御も不要にできるようにする。【解決手段】シリンダ針１０の上下動軌道に設定されたベア糸用給糸ポイントＢＰへ向けてベア糸ｓを導くようにシリンダ５の上周部で水平回転軸２６まわりに回転自在に保持されたベア糸用ガイドローラ２０と、ベア糸用ガイドローラ２０に導かれて給糸ポイントＢＰに至る部分のベア糸ｓが当該給糸ポイントＢＰを含む水平面に対して鋭角の縦方向給糸角度αとなるように、ベア糸用ガイドローラ２０の設置位置を調節可能にするローラ保持機構２２とを有した構成とする。【選択図】図１
2014051755.tif 000002
【特許請求の範囲】
【請求項１】
縦軸まわりに回転するシリンダの外周面にシリンダ針が上下動自在に保持された丸編機で備えられるベア糸給糸装置であって、
前記シリンダ針の上下動軌道に設定されたベア糸用給糸ポイントへ向けてベア糸を導くように前記シリンダの上周部で水平回転軸まわりに回転自在に保持されたベア糸用ガイドローラと、
前記ベア糸用ガイドローラに導かれて前記給糸ポイントに至る部分のベア糸が当該給糸ポイントを含む水平面に対して鋭角の縦方向給糸角度となるように、前記ベア糸用ガイドローラの設置位置を調節可能にするローラ保持機構と、
を有していることを特徴とするベア糸給糸装置。
【請求項２】
前記ベア糸用ガイドローラに導かれて前記ベア糸用給糸ポイントに至る部分のベア糸が当該給糸ポイントを含むシリンダ接線方向の垂直面に対して鋭角の横方向給糸角度となるように、前記ベア糸用ガイドローラの設置位置を調節可能にする第２ローラ保持機構を有していることを特徴とする請求項１記載のベア糸給糸装置。
【請求項３】
前記ベア糸用ガイドローラに対してベア糸の給糸方向で上流となる位置に、当該ベア糸用ガイドローラの水平回転軸と交差して設定される別の水平回転軸まわりに回転自在に保持されて、前記ベア糸を外接支持するアイドルローラが設けられていることを特徴とする請求項１又は請求項２記載のベア糸給糸装置。
【請求項４】
請求項１乃至請求項３のいずれか１項に記載のベア糸給糸装置を具備していることを特徴とする丸編機。
【請求項５】
前記ベア糸用給糸ポイントに対して前記シリンダの回転方向で上流となる位置に、プレーティング編の地糸とする糸をシリンダ針の上下動軌道へ向けて給糸する地糸用給糸ポイントが設定されており、
前記ベア糸用ガイドローラの設置位置とは前記シリンダの径方向において相対的に内方となる位置関係を保持して前記地糸用給糸ポイントへ地糸を導く地糸用給糸ガイドが設けられていることを特徴とする請求項４記載の丸編機。
【請求項６】
前記シリンダの上部に当該シリンダと同心で一体回転するダイヤルが設けられ且つ当該ダイヤルの上面にダイヤル針が径方向移動自在に保持されていると共に、
前記ベア糸用給糸ポイントに対して前記シリンダの回転方向で上流となる位置に、シリンダ針からダイヤル針への目移しでラッチ閉止状態となったシリンダ針のラッチと接触して当該ラッチを開動させるラッチオープナーが設けられており、
前記地糸用給糸ポイントは、前記ラッチオープナーと前記ベア糸用給糸ポイントとのシリンダ回転方向の相互間に設定されている
ことを特徴とする請求項５記載の丸編機。
【発明の詳細な説明】
【技術分野】
【０００１】
本発明は、例えば、任意箇所での裁断（切りっぱなし）をしても、ほつれが起こらない生地を編成する際、更に言えばこの編成時にベアフライスのメッシュ編などを採用しようとする際に、好適に採用可能となるベア糸給糸装置及びこのベア糸給糸装置を具備して成る丸編機に関するものである。
【背景技術】
【０００２】
従来、衣類の開口部（袖口や襟口、裾部など）として仕上げる部分を、ポリウレタン加工糸等の熱融着弾性糸とそれ以外の糸とでプレーティング編した生地組織にしておき、その後、熱融着弾性糸に自着性が生じる温度に加熱する（「熱セット加工」と呼ばれている。場合によっては圧縮を加えてもよいとされる）ことにより、開口部にほつれ防止機能（切りっぱなしにできる機能）を生じさせる技術が知られている（例えば、特許文献１等参照）。
【０００３】
プレーティング編は、図９（Ａ）に示すように素材の異なる二本の糸を、一箇所に設けられた二つの給糸口に各別にガイドさせてニッティングポイントへ給糸することによって編成する方法である。このプレーティング編では、給糸された二本の糸を生地の表裏両面に振り分けて、伸長性や緊締性などの特性の違い（機能分担）、或いは、風合いや色の違い（リバーシブル性）などを明確に生じさせることができるという特徴がある。
【０００４】
従って、熱融着弾性糸とそれ以外の糸とでプレーティング編を採用した場合には、生地の片面のみで全てのループに熱融着弾性糸を寄り添わせた状態にできることになる。そのため、丸編機（シングル機でもダブル機でもよい）の全口で熱融着弾性糸を給糸させるようにすれば、生地全体として編み目の安定化（結合化）が行えることになり、この場合には任意箇所での裁断（切りっぱなし）をしても、ほつれが起こらないようにできるものである。
【０００５】
なお、「プレーティング編」の同義語に「添え糸編」の用語がある。ただ一般的には、「プレーティング編」や「添え糸編」と呼ばれる場合の中に、図９（Ｂ）に示すように複数本の糸を引き揃えて一つの給糸口にガイドさせて編成する、いわゆる「交編（引き揃え編等の俗称で呼ばれる場合もある）」をも含んだ意味として、混同又は誤解されていることがある。そこで以下では、図９（Ａ）の給糸方法を特定するものとして「プレーティング編」の用語に統一する。
【先行技術文献】
【特許文献】
【０００６】
【特許文献１】特許第３９８３７２９号公報
【発明の概要】
【発明が解決しようとする課題】
【０００７】
熱融着弾性糸を添え糸に用い、熱融着弾性糸以外の糸を地糸に用いてプレーティング編を行う場合にあって、例えば、ベアフライスのメッシュ編を採り入れようとすると、以下に述べる問題が生じることがあった。
なお、「ベアフライス」は、ダブルの丸編機（シリンダ及びダイヤルを備えた丸編機）でベア糸（ポリウレタン等の弾性糸であってカバリングされていない裸糸）を用いてゴム編する編成方法、又はこの編成方法によって編成された生地を言う。ここにおいて、ベアフライスには、ベアスムースやその他の変化組織も含むものとする。
【０００８】
また、メッシュ編は、編み組織中に透かし目を生じさせる編成方法であって、編成中にシリンダ針からダイヤル針への目移し（ループの送り渡し）を行うこと等によって実現される。
このようなベアフライスのメッシュ編を採り入れたプレーティング編では、目移しを行うとき（シリンダ針からループが脱げるとき）に、シリンダ針のラッチ（針先端のフックを開閉するための揺動爪のことでベラとも呼称される）が閉じられるようになる。当然に、目移し直後のシリンダ針には保持するループが無い（ダイヤル針へ送り渡しているため
）ことになる。
【０００９】
従って、シリンダ針へ新たな給糸を行うには、後述のラッチオープナーによってラッチを強制的に開動させるが、この状態のシリンダ針に添え糸を給糸しようとしても、シリンダ針のフックが添え糸をうまく喰わない問題（給糸ミスでありハネと呼ぶことがある）が起こっていた。
殊に、添え糸とする熱融着弾性糸がベア糸であると、ベア糸が、地糸に用いる糸（ポリエステルなど）に比べて細くて滑りが少なく且つ切れやすいという特性を有していることが要因となって、ベア糸の給糸ミスは頻発することになる。
【００１０】
また、シリンダ針のフックに添え糸をうまく給糸できた場合であっても、フック内で地糸と添え糸との配置が入れ替わるような不具合が起こって、プレーティング不良（生地の片面に添え糸が集中しない問題）とされることもあった。
なお従来、これらの問題を解決するため、シリンダ針のフック形状を種々に工夫する試みもあった。しかし、フック形状の変更だけでは問題解消の確実性に乏しく、編成速度や給糸速度等、編機運転上の稼働効率低下に繋がる制御も必要になるといった具合に、根本的な解決には至っていない。また、シリンダ針の生産に関して需要と供給の量的なバランスが確保できないことから、シリンダ針の生産コストが極めて高騰する問題もあった。
【００１１】
本発明は、上記事情に鑑みてなされたものであって、ベア糸（ポリウレタン等の裸糸）の給糸に関して、糸切れやハネ、編組織不良などを完全に解消できるものとし、また特殊針の開発などは必要とせず、更にはベア糸の給糸に伴う編機の運転制御も不要にすることができるベア糸給糸装置及びこのベア糸給糸装置を具備して成る丸編機を提供することを目的とする。
【課題を解決するための手段】
【００１２】
前記目的を達成するために、本発明は次の手段を講じた。
即ち、本発明に係るベア糸給糸装置は、縦軸まわりに回転するシリンダの外周面にシリンダ針が上下動自在に保持された丸編機で備えられるものであって、前記シリンダ針の上下動軌道に設定されたベア糸用給糸ポイントへ向けてベア糸を導くように前記シリンダの上周部で水平回転軸まわりに回転自在に保持されたベア糸用ガイドローラと、前記ベア糸用ガイドローラに導かれて前記給糸ポイントに至る部分のベア糸が当該給糸ポイントを含む水平面に対して鋭角の縦方向給糸角度となるように、前記ベア糸用ガイドローラの設置位置を調節可能にするローラ保持機構と、を有していることを特徴とする。
【００１３】
前記ベア糸用ガイドローラに導かれて前記ベア糸用給糸ポイントに至る部分のベア糸が当該給糸ポイントを含むシリンダ接線方向の垂直面に対して鋭角の横方向給糸角度となるように、前記ベア糸用ガイドローラの設置位置を調節可能にする第２ローラ保持機構を有したものとするのが好適である。
前記ベア糸用ガイドローラに対してベア糸の給糸方向で上流となる位置に、当該ベア糸用ガイドローラの水平回転軸と交差して設定される別の水平回転軸まわりに回転自在に保持されて、前記ベア糸を外接支持するアイドルローラが設けられているものとするのが好適である。
【００１４】
一方、本発明に係る丸編機は、上記した構成のベア糸給糸装置を具備していることを特徴とする。
前記ベア糸用給糸ポイントに対して前記シリンダの回転方向で上流となる位置に、プレーティング編の地糸とする糸をシリンダ針の上下動軌道へ向けて給糸する地糸用給糸ポイントが設定されており、前記ベア糸用ガイドローラの設置位置とは前記シリンダの径方向において相対的に内方となる位置関係を保持して前記地糸用給糸ポイントへ地糸を導く地糸用給糸ガイドが設けられたものとすることができる。
【００１５】
前記シリンダの上部に当該シリンダと同心で一体回転するダイヤルが設けられ且つ当該ダイヤルの上面にダイヤル針が径方向移動自在に保持されていると共に、前記ベア糸用給糸ポイントに対して前記シリンダの回転方向で上流となる位置に、シリンダ針からダイヤル針への目移しでラッチ閉止状態となったシリンダ針のラッチと接触して当該ラッチを開動させるラッチオープナーが設けられており、前記地糸用給糸ポイントは、前記ラッチオ
ープナーと前記ベア糸用給糸ポイントとのシリンダ回転方向の相互間に設定されたものとすることができる。
【発明の効果】
【００１６】
本発明に係るベア糸給糸装置及びこのベア糸給糸装置を具備して成る丸編機では、ベア糸（ポリウレタン等の裸糸）の給糸に関して、糸切れやハネ、編組織不良などを完全に解消することができ、また特殊針の開発などは不要であり、更にはベア糸の給糸に伴う編機の運転制御も不要にすることができる。
【図面の簡単な説明】
【００１７】
【図１】本発明に係るベア糸給糸装置を具備した丸編機を示した側断面図である。
【図２】本発明に係るベア糸給糸装置による給糸状況を示した正面図（図１のＡ−Ａ線矢視図）である。
【図３】本発明に係るベア糸給糸装置を示した平面図である。
【図４】本発明に係るベア糸給糸装置を示した正面図である。
【図５】第２ローラ保持機構（第２保持機構）によるベア糸用ガイドローラの位置調節を説明した平面模式図である。
【図６】ローラ保持機構（第１保持機構）によるベア糸用ガイドローラの別パターンによる位置調節を説明した正面模式図である。
【図７】本発明に係るベア糸給糸装置によるベア糸の給糸状況を判りやすく示した斜視図である。
【図８】シリンダ針の上下動と添え糸（ベア糸）及び地糸の給糸との関係を経時的に示した動作説明図である。
【図９】（Ａ）はプレーティング編を概説した模式図であり（Ｂ）は交編を概説した模式図である。
【発明を実施するための形態】
【００１８】
以下、本発明の実施の形態を、図面に基づき説明する。
図１乃至図８は、本発明に係るベア糸給糸装置１と、このベア糸給糸装置１を具備して成る丸編機２とを示している。
まず丸編機２について説明する。図１に示すように、この丸編機２は、円筒形のシリンダ５と、このシリンダ５の上部に同心に設けられた円盤状のダイヤル６とを有しており、ダブル編み（フライス生地の編成）が可能である。
【００１９】
シリンダ５及びダイヤル６は、それらの中心となる縦軸Ｐまわりで一体回転可能とされ、伝動手段７を介して回転用の駆動力が伝えられる。シリンダ５には、その外周面全周を取り囲むようにして縦軸Ｐと平行するシリンダ針１０が多数本並んで保持されており、ダイヤル６には、その上面で径方向に沿うようにダイヤル針１１が多数本、縦軸Ｐまわりに放射状配置で保持されている。
【００２０】
シリンダ５の外周部にはカムホルダー１２が設置固定されており、このカムホルダー１２の内周面に、各シリンダ針１０に所定タイミングで上下動（編成動作）を起こさせるためのステッチカムが設けられている。従って、シリンダ５の回転時にはシリンダ針１０がカムホルダー１２のステッチカムに沿った上下動を生起するようになる（図８中の軌跡Ｌ参照）。
【００２１】
また、ダイヤル６の上部には上部カムホルダー１３が定置状態で設けられており、この上部カムホルダー１３の下面に、ダイヤル針１１に横移動（編成動作）を起こさせるためのダイヤルカムが設けられている。従って、シリンダ５と一体回転するダイヤル６により、ダイヤル針１１が上部カムホルダー１３のダイヤルカムに沿った横移動を生起するようになる。
【００２２】
このようにして、シリンダ５の上周側（ダイヤル６の外周側）に沿った周方向の複数箇所に、シリンダ針１０のフック及び／又はダイヤル針１１のフックによるニッティングポイント（編成点）が形成される。そこで各ニッティングポイントへ給糸すれば、シリンダ５の内方へ向けてフライス（＝ダブル＝ゴム編）又は天竺（＝シングル＝平編）の筒状生地Ｗが編み降ろされることになる。
【００２３】
シリンダ５の下部には巻取装置１４が設けられており、シリンダ５の内方を通って編み降ろされる筒状生地Ｗは、この巻取装置１４によって巻き取られる。
本実施形態では、任意箇所での裁断（切りっぱなし）をしても、ほつれが起こらないようにできる生地を編成するものとして、添え糸に熱融着弾性糸を用いた「プレーティング編」を行う設定とする。熱融着弾性糸にはベア糸（ポリウレタン等の裸糸）を用いるものとする。また、プレーティング編の地糸には、特に限定されるものではないが、例えばポリエステルなどを用いるものとする。
【００２４】
従って、この丸編機２では、図７及び図８に示すように、個々のニッティングポイントごとに、添え糸（以下「ベア糸ｓ」と言い換える）をシリンダ針１０の上下動軌道へ向けて給糸するベア糸用給糸ポイントＢＰと、地糸ｇをシリンダ針１０の上下動軌道へ向けて給糸する地糸用給糸ポイントＧＰとが互いに隣接するように設定されている。これら両ポイントＢＰ、ＧＰは、地糸用給糸ポイントＧＰがシリンダ５の回転方向において上流側で、ベア糸用給糸ポイントＢＰが下流側となるような配置関係としてあり、必ず、地糸ｇが先に給糸され、その後にベア糸ｓが給糸されるようになっている。
【００２５】
なお、ベア糸用給糸ポイントＢＰや地糸用給糸ポイントＧＰなどの「給糸ポイント」とは、シリンダ針１０が上下動する軌道内に生じるニッティングポイントと同じ位置であることが多い。しかし、必ずしもニッティングポイントに限定されるものではない。例えば、ニッティングポイントへ向けてシリンダ針１０が上下動する途中（非ニッティングポイント）に給糸ポイントを設定することもできる。要は、ニッティングポイントでの編成に向けて上下動を行っているシリンダ針１０のフックに対し、好適なタイミングで給糸すべき位置が、その糸にとっての給糸ポイント、ということになる。
【００２６】
そして、シリンダ５の上周部近傍に、ベア糸用給糸ポイントＢＰにベア糸ｓを導くためのベア糸給糸装置１と、地糸用給糸ポイントＧＰに地糸ｇを導くための地糸用給糸ガイド１５とが、互いに対を成すようにして設けられている。
また本実施形態では「メッシュ編」を行う設定とする。従って、この丸編機２で用いるシリンダ針１０には、ダイヤル針１１への目移しを可能にする目移し専用針（シリンダ針１０に保持されたループ内へダイヤル針１１の突入を導く構造を有した針）を選択してある。このようなシリンダ針１０（目移し専用針）では、当該シリンダ針１０が下降する際にループを脱ぎながらダイヤル針１１への目移し（ループ送り）を行うようになるので、脱がれるループにラッチ１７が引っ掛かり、目移し後にはラッチ１７が閉止状態とされる（図２左端のシリンダ針１０を参照）。
【００２７】
そのためこの丸編機２では、図２に示すように、シリンダ５の上周部に、目移しを行う位置（ベア糸用給糸ポイントＢＰ及び地糸用給糸ポイントＧＰよりもシリンダ５の回転方向で上流側）に対し、その直ぐ下流となる位置に、ラッチオープナー１８を設けてある。
このラッチオープナー１８は、シリンダ５の回転に伴って走行するシリンダ針１０の列に、線材により形成したカムレール１８ａを添わせるようになっており、カムレール１８ａの先端は、シリンダ５の回転方向に対する逆方向（上流側）へ向けてある。そのため、このカムレール１８ａは、シリンダ針１０のフック内へ突き刺さるようになって、閉止状態にあるラッチ１７と接触しながらこのラッチ１７を強制的に下方へ揺動させ（開動させ）、もって、フックに地糸ｇ及びベア糸ｓの給糸を可能とさせるものである。
【００２８】
次に、ベア糸給糸装置１について説明する。図１に示すように、ベア糸給糸装置１は、丸編機２における各ニッティングポイントに個別に対応するように、シリンダ５の周方向で複数設けられている。
ベア糸給糸装置１は、シリンダ５の上周部に寄り添うようにして設けられたベア糸用ガイドローラ２０と、このベア糸用ガイドローラ２０へベア糸ｓを導くように設けられたアイドルローラ２１とを有し、また図３及び図４に示すように、ベア糸用ガイドローラ２０の設置部分に設けられたローラ保持機構２２及び第２ローラ保持機構２３を有している。
【００２９】
なお、ローラ保持機構２２と第２ローラ保持機構２３とを明確にするため、以下ではローラ保持機構２２を「第１保持機構２２」と言い換えると共に、第２ローラ保持機構２３を「第２保持機構２３」と言い換える。
ベア糸用ガイドローラ２０は、ローラ外周面に、ベア糸ｓをガイドするＶ字溝、Ｕ字溝、又は角溝（コ字状溝）等が形成されたもので、シリンダ５の上周部（上方であったり径方向外方であったりする場合を含む）に設けられる水平回転軸２６により、回転自在に保持されている。ローラ外周面に設けられる溝は、Ｖ字溝であることが走行する糸の揺らぎ（蛇行）や外れを防止するうえで、好適である。
【００３０】
このベア糸用ガイドローラ２０は、ベア糸ｓが給糸されることに伴うベア糸ｓとの接触抵抗により回転力を受けて、軽快に連れ回り（従動回転）する。
このように、ベア糸用ガイドローラ２０は自在回転する構造であることが重要であって、この回転でベア糸ｓとの相対速度差をゼロにして、ベア糸ｓに擦過損傷を与えない状態を維持できるようになっている。なお、ベア糸用ガイドローラ２０は、ＰＯＭやナイロンなどの樹脂材により形成するのが好適である。
【００３１】
第１保持機構２２は、ベア糸用ガイドローラ２０の設置高さや、ベア糸用給糸ポイントＢＰからの離反距離、又はこれら設置高さと離反距離との両方を調節できるようにしたものである。これらの調節を行うことで、ベア糸用ガイドローラ２０に導かれてベア糸用給糸ポイントＢＰに至る部分のベア糸ｓと、ベア糸用給糸ポイントＢＰを含む水平面との間に生じる縦方向給糸角度α（図２）が、鋭角となるようにする。
【００３２】
ここにおいて縦方向給糸角度αの鋭角は、０°以上９０°未満とおく。但し、ベア糸用給糸ポイントＢＰを含む水平面を基準にして、その下方側に縦方向給糸角度αを生じさせる場合（図２の場合）と、前記水平面の上方側に縦方向給糸角度αを生じさせる場合（図６の場合）の両方を含むものとおく。すなわち、前記水平面を基準とする−９０°から＋９０°の範囲内である。具体的には、−６０°から＋６０°の範囲とするのが好適であった。
【００３３】
これに対し、第２保持機構２３は、ベア糸用ガイドローラ２０の向き（ベア糸ｓを送り出す水平面内での角度）を調節できるようにしたものである。この調節を行うことで、ベア糸用ガイドローラ２０に導かれてベア糸用給糸ポイントＢＰに至る部分のベア糸ｓと、ベア糸用給糸ポイントＢＰを含むシリンダ接線方向の垂直面との間に生じる横方向給糸角度β（図５）が、鋭角となるようにする。
【００３４】
ここにおいて横方向給糸角度βの鋭角は、０°以上９０°未満とおく。但し、ベア糸用給糸ポイントＢＰを含むシリンダ接線方向の垂直面を基準にして、その径方向外側に横方向給糸角度βを生じさせる場合（図５の場合）と、前記垂直面の径方向内側に横方向給糸角度βを生じさせる場合（図示略）の両方を含むものとおく。垂直面の径方向内側に横方向給糸角度βを生じさせる場合には、シリンダ５の外周部上方へベア糸用ガイドローラ２０を配置させるようにすればよい。すなわち、前記垂直面を基準とする−９０°から＋９０°の範囲内である。具体的には、−６０°から＋６０°の範囲とするのが好適であった。
【００３５】
このようなベア糸用ガイドローラ２０の位置調節を可能にするための第１保持機構２２及び第２保持機構２３は、具体的には、図３及び図４に示すような構造を採用することで実現できる。すなわち、ベア糸用ガイドローラ２０の水平回転軸２６は、その一端部に垂下軸２７を屈曲状に連結したＬ形のローラ支軸２８で形成させるものとし、このローラ支軸２８の垂下軸２７を、水平アーム３０によって上下動自在な状態に保持させる。
【００３６】
水平アーム３０には、ローラ支軸２８の垂下軸２７を貫通させるための縦方向のストレート孔を設けて、このストレート孔の中途部に、孔方向に直交させるようにして六角穴付きネジ（イモネジ又はホローセット等とも呼称されるネジ）３１をねじ込むようにする。
また、水平アーム３０は、垂直取付片３２と水平張出片３３とを有するＬ型ブラケット３４により、水平張出片３３で片持ち支持させる構造とする。水平アーム３０には、水平張出片３３に支持される部分に、当該水平アーム３０のアーム長手方向に沿って長い長孔３６が形成されており、この長孔３６へ差し込んだ取付ボルト３７をＬ型ブラケット３４の水平張出片３３へ螺合させるものとする。
【００３７】
そして、Ｌ型ブラケット３４は、垂直取付片３２を丸編機２の装置フレーム（シリンダ５やダイヤル６の回転を支える固定側）又は上部カムホルダー１３などに対して固定して
、水平張出片３３がシリンダ５の径方向外方へ突出する状態にする。
このような構造を採用すれば、水平アーム３０の六角穴付きネジ３１を少し緩めた状態にすることで、ローラ支軸２８を上下動させることができ（図４中のＺ参照）、これに伴ってベア糸用ガイドローラ２０の高さ調節が可能になる。また、Ｌ型ブラケット３４の取付ボルト３７を少し緩めた状態にすることで、水平アーム３０を長孔３６に沿ってスライドさせることができ（図３、図４中のＸ参照）、これに伴ってベア糸用ガイドローラ２０をベア糸用給糸ポイントＢＰから離反させる距離の調節が可能になる。
【００３８】
従って、これらの高さ調節や離反距離調節を可能にする構造が、縦方向給糸角度α用の第１保持機構２２を構成していることになる。
また、Ｌ型ブラケット３４の取付ボルト３７を少し緩めた状態では、水平アーム３０を取付ボルト３７まわりで水平揺動させることも可能であるので（図３、図４中のＲ参照）、これに伴ってベア糸用ガイドローラ２０の向き調節が可能になる。なお、水平アーム３０の六角穴付きネジ３１を少し緩めた状態では、ローラ支軸２８を垂下軸２７まわりで回転させることも可能であるので（図３、図４中のＱ参照）、これによってもベア糸用ガイドローラ２０の向き調節が可能になる。
【００３９】
従って、これらの向き調節を可能にする構造が、横方向給糸角度β用の第２保持機構２３を構成していることになる。
地糸用給糸ガイド１５は、地糸用給糸ポイントＧＰへ給糸する地糸ｇが、ベア糸用ガイドローラ２０からベア糸用給糸ポイントＢＰへ給糸されるベア糸ｓと交錯することがないようにするため、シリンダ５の径方向において、ベア糸用ガイドローラ２０の設置位置とは相対的に内方となる位置関係を保持して配置されている。
【００４０】
アイドルローラ２１は、ベア糸用ガイドローラ２０に対してベア糸ｓの給糸方向で上流となる位置に、このベア糸用ガイドローラ２０の水平回転軸２６と交差して設定される別の水平回転軸４０まわりに回転自在に保持されて、ベア糸ｓを外接支持するようになっている。アイドルローラ２１も、そのローラ外周面にはＶ字溝、Ｕ字溝、又は角溝（コ字状溝）等が形成されている。ベア糸用ガイドローラ２０の場合と同様な理由で、ローラ外周面の溝はＶ字溝であることが好適である。
【００４１】
このアイドルローラ２１の水平回転軸４０は、ベア糸用ガイドローラ２０の水平回転軸２６に対して６０°〜９０°の交差角で交差させて設けるとよい。言い換えれば、ベア糸用ガイドローラ２０及びアイドルローラ２１のローラ外周面に設けられる溝が、いずれもＶ字溝である場合、ベア糸用ガイドローラ２０のローラ外周面のうちベア糸ｓをガイドする回転面と、アイドルローラ２１のローラ外周面のうちベア糸ｓをガイドする回転面とが、６０°〜９０°の交差角で交差している状態を言う。
【００４２】
この場合、ベア糸ｓは、両ローラ２０，２１によって二方向から一義的な位置拘束を受けることになるので、揺らぎ（蛇行）を可及的に抑制できる利点がある。すなわち、ベア糸用ガイドローラ２０からベア糸用給糸ポイントＢＰへ給糸されるベア糸ｓに振動が生じないので、給糸のミスや編成のミスなどが防止されるという利点がある。
なお、水平回転軸２６，４０の交差角は６０°〜９０°内であれば特に限定されるものではないが、互いに直交関係（９０°）とするのが周辺機材との接触干渉を防止するうえで好適である。
【００４３】
このようなアイドルローラ２１を設けることで、ベア糸ｓにねじれ作用が生起している場合に、ねじれを打ち消す作用を期待することができ、ベア糸用ガイドローラ２０を経て送り出されるベア糸ｓに直進性を付与することができる。
以上、詳説したところから明らかなように、本発明に係るベア糸給糸装置１及びこのベア糸給糸装置１を具備する丸編み機２では、第１保持機構２２及び第２保持機構２３によるベア糸用ガイドローラ２０の位置調節により、このベア糸用ガイドローラ２０に導かれてベア糸用給糸ポイントＢＰに至る部分のベア糸ｓについて、縦方向給糸角度α及び横方向給糸角度βを、それぞれ鋭角となるように設定することができるものである。
【００４４】
そのため、ベア糸ｓの給糸に関して、糸切れやハネ、編組織不良などを完全に解消できるような、最適な給糸状態を得ることができる。これにより当然に、フック形状を種々に
変化させた特殊針の開発などは不要となり、またベア糸ｓの給糸に伴う丸編み機２の運転制御も不要にすることができる。
従って、任意箇所での裁断（切りっぱなし）をしても、ほつれが起こらない生地を歩留まり良く編成できるものであり、しかもベアフライスのメッシュ編などの採用も可能となっている。
【００４５】
本発明は、前記実施形態に限定されるものではなく、実施の形態に応じて適宜変更可能である。
例えば、丸編機２は、ダブル機（ダブル編み用）とすることが限定されるものではなく、シングル機（シングル編み用）としてもよいし、靴下編み機等としてもよい。要するに、縦軸Ｐまわりに回転する円筒形シリンダ５を有し、その外周面に、シリンダ針１０が保持された編機（ダブルシリンダなども含む）であればよい。
【００４６】
丸編機２をダブル機とする場合であっても、シリンダ５又はダイヤル６によって天竺を編むような使用方法を採用することが可能である。
目移しは、シリンダ針１０からダイヤル針１１へ向けた目移しに限定されず、ダイヤル針１１からシリンダ針１０へ向けた目移し、或いはシリンダ針１０同士やダイヤル針１１同士で行う目移しなどとしてもよい。
【００４７】
本発明に係るベア糸給糸装置１は、全てのニッティングポイントに対応させて設けることが限定されるものではなく、要は、ベア糸を給糸したい位置に設ければよいものである。また、ベア糸給糸装置１と地糸用給糸ガイド１５とを対にして設けることについても限定されるものではなく、ベア糸給糸装置１を単独で設けるようにしてもよい。
従って、本発明に係るベア糸給糸装置１は、プレーティング編を行う場合の地糸の給糸や、プレーティング編以外を行う場合の給糸に採用することも可能である。この場合において、特許請求の範囲及び発明の名称の「ベア糸」を、給糸対象にする糸の名称に置き換えればよい。
【００４８】
本発明に係るベア糸給糸装置１は、目移しを行う場合の採用が限定されるものではなく、タック編などを行う場合のベア糸給糸にも有益に採用できるものである。
ベア糸用ガイドローラ２０に対して設ける第１保持機構２２や第２保持機構２３は、前記実施形態で例示したものに限らず、従来公知の種々の構造を採用可能である。要は、第１保持機構２２にあっては、ベア糸用ガイドローラ２０の設置高さや、ベア糸用給糸ポイントＢＰからの離反距離、又はこれら設置高さと離反距離との両方を調節できるものであればよく、また第２保持機構２３にあっては、ベア糸用ガイドローラ２０の向きを調節できるものであればよい。
【００４９】
アイドルローラ２１は、ベア糸ｓの給糸方向に沿って２個以上、設けるものとしてもよい。この場合、アイドルローラ２１同士間でも、それらの水平回転軸４０を交差させるように配置してもよい。
ベア糸用ガイドローラ２０やアイドルローラ２１のローラ外周面に設けられる溝をＶ字溝とする場合において、図３では、Ｖ字の尖端部に凹アールの溝底形状が付されたものを例示した。しかし、このＶ字の尖端部に内折れ角の溝底形状が付されたものとしてもよい。
【符号の説明】
【００５０】
１  ベア糸給糸装置
２  丸編機
５  シリンダ
６    ダイヤル
７    伝動手段
１０  シリンダ針
１１  ダイヤル針
１２  カムホルダー
１３  上部カムホルダー
１４  巻取装置
１５  地糸用給糸ガイド
１７  ラッチ
１８  ラッチオープナー
１８ａ  カムレール
２０  ベア糸用ガイドローラ
２１  アイドルローラ
２２  ローラ保持機構（第１保持機構）
２３  第２ローラ保持機構（第２保持機構）
２６  水平回転軸
２７  垂下軸
２８  ローラ支軸
３０  水平アーム
３１  六角穴付きネジ
３２  垂直取付片
３３  水平張出片
３４  Ｌ型ブラケット
３６  長孔
３７  取付ボルト
４０  水平回転軸
α  縦方向給糸角度
β  横方向給糸角度
ＢＰ  ベア糸用給糸ポイント
ＧＰ  地糸用給糸ポイント
Ｌ  軌跡
Ｐ  縦軸
Ｗ  筒状生地
ｇ  地糸
ｓ  ベア糸
【図１】
2014051755.tif 000003
【図２】
2014051755.tif 000004
【図３】
2014051755.tif 000005
【図４】
2014051755.tif 000006
【図５】
2014051755.tif 000007
【図６】
2014051755.tif 000008
【図９】
2014051755.tif 000009
【図７】
2014051755.tif 000010
【図８】
2014051755.tif 000011